(57)【要約】【課題】本考案は、蓋体を通じて容器本体内に薬液を補充し得る新規な徐放容器を提供することを目的とする。【解決手段】  容器本体２内に存する吸水性高分子４に吸収させた薬液を、蓋体３を通じて大気中に徐放させる徐放容器１において、前記蓋体３を坪量３０ｇ／ｍ２以下の多孔質シートとすることによって、前記蓋体３を通じて前記容器本体２内に薬液を補充できるようにする。【選択図】図１
0003205343.tif 000002
【実用新案登録請求の範囲】
【請求項１】
容器本体と、
前記容器本体の開口部を覆うようにして配される蓋体と、
を具備してなり、
前記容器本体内に存する吸水性高分子に吸収させた薬液を、前記蓋体を通じて大気中に徐放させる徐放容器であって、
前記蓋体を通じて前記容器本体内に薬液を補充できるように、前記蓋体が坪量３０ｇ／ｍ２以下の多孔質シートとなされたことを特徴とする徐放容器。
【請求項２】
請求項１に記載の徐放容器において、
前記蓋体が坪量１０〜２０ｇ／ｍ２の多孔質シートとなされた徐放容器。
【請求項３】
請求項１又は２に記載の徐放容器において、
前記多孔質シートが不織布である徐放容器。
【考案の詳細な説明】
【技術分野】
【０００１】
本考案は、芳香成分、消臭成分、防虫成分などが含まれた薬液を大気中に徐放させるための徐放容器に関する。
【背景技術】
【０００２】
従来、芳香成分、消臭成分、防虫成分などが含まれた薬液を大気中に徐放させるための徐放容器として、容器本体の開口部が不織布等の透過膜で覆われてなる構造のものが利用されている（例えば、下記特許文献１参照）。
【先行技術文献】
【特許文献】
【０００３】
【特許文献１】特開平８‐１６４１９３号公報
【考案の概要】
【考案が解決しようとする課題】
【０００４】
現在、この種の徐放容器は、前記容器本体内に存する吸水性高分子に薬液を吸収させ、前記蓋体を通じて薬液を大気中に徐放させる仕組みのものが一般的である。そして、薬液を吸収することによって膨潤した吸水性高分子は、薬液の徐放により経時的に委縮するため、従来の徐放容器は、吸水性高分子がある程度萎縮した時点で廃棄されていた。
【０００５】
しかしながら、吸水性高分子が委縮した時点において、前記容器本体も前記蓋体も使用開始時とほぼ同じ状態を維持しており、委縮した高分子も薬液を再度吸収する性質を維持している。そのため、吸水性高分子が委縮したからといって、徐放容器そのものを廃棄することは、資源保護の観点に鑑みて不利益がある。
【０００６】
本考案は、前記技術的課題に鑑みて完成されたものであり、蓋体を通じて容器本体内に薬液を補充し得る新規な徐放容器を提供することを目的とする。
【課題を解決するための手段】
【０００７】
前記技術的課題を解決する本考案の徐放容器は、容器本体と、前記容器本体の開口部を覆うようにして配される蓋体と、を具備してなり、前記容器本体内に存する吸水性高分子に吸収させた薬液を、前記蓋体を通じて大気中に徐放させる徐放容器であって、前記蓋体を通じて前記容器本体内に薬液を補充できるように、前記蓋体が坪量３０ｇ／ｍ２以下の多孔質シートとなされたことを特徴とする（以下、「本考案容器」と称する。）。
【０００８】
本考案容器においては、前記蓋体が坪量１０〜２０ｇ／ｍ２の多孔質シートとなされたものが好ましい態様となる。
【０００９】
本考案容器においては、前記多孔質シートが不織布であるものが好ましい態様となる。
【考案の効果】
【００１０】
本考案によれば、蓋体を通じて容器本体内に薬液を補充することができる。
【図面の簡単な説明】
【００１１】
【図１】図１は、本考案容器を示す断面図である。
【図２】図２は、前記本考案容器に薬液を補充している様子を示す断面図である。
【考案を実施するための形態】
【００１２】
以下、本考案の実施形態を図面に基づいて説明するが、本考案はこの実施形態に限定されるものではない。
【００１３】
＜実施形態＞
‐本考案容器１‐
図１に、本考案容器１の一態様を示す。この本考案容器１は、容器本体２と、蓋体３と、を具備してなり、前記容器本体２内に吸水性高分子４が配される。
【００１４】
‐容器本体２‐
前記容器本体２は、吸水性高分子４を収納させるための器であり、開口部２１を有するものであれば、その形状は特に限定されない。なお、本実施形態においては、前記開口部２１にフランジ部２２が設けられている。前記容器本体２は、例えば、ポリエチレン、ポリプロピレン、ポリスチレン等のオレフィン系樹脂や、ポリエチレンテレフタレート、ポリブチレンテレフタレート等のポリエステル系樹脂などのプラスチック素材を、真空成形、圧空成形、射出成型等の成形手段により成形することが好ましい。
【００１５】
‐蓋体３‐
前記蓋体３は、前記容器本体２の開口部２１を覆うようにして配される。前記蓋体３は、接着や熱融着などの固定手段を用いて前記容器本体２の開口部２１に固定される。本考案において、前記蓋体３は、坪量３０ｇ／ｍ２以下（好ましくは、１０〜２０ｇ／ｍ２）の多孔質シートが用いられる。前記多孔質シートとしては、例えば、オレフィン系樹脂やポリエステル系樹脂などからなる不織布、織布、ネット、穿孔シート等が好適に用いられる。
【００１６】
‐吸水性高分子４‐
前記吸水性高分子４は、吸水性の担体である。本考案において、前記吸水性高分子４は、水分を吸収して膨潤するものであれば特に限定されない。前記吸水性高分子としては、例えば、デンプン、グリセリン、カルボキシメチルセルロース、カルボキシメチルセルロースナトリウム、ヒドロキシメチルセルロース、デンプン・アクリル酸ナトリウムグラフト共重合体、カルボキシビニルポリマー、ポリビニルアルコール、ポリビニルピロリドン、ポリアクリル酸、ポリアクリル酸ナトリウム、ポリアクリル酸部分中和物、寒天、キサンタンガム、ローカストビーンガム、マンナン、カラギーナンなどが挙げられる。
【００１７】
前記構成を有する本考案容器１は、前記吸水性高分子４に、芳香成分、消臭成分、防虫成分などが含まれた薬液を吸収させた状態で市場に供される。この際、薬液の徐放を防止するために、前記蓋体３に対し、図示しない被通気性フィルムが積層される。なお、前記非通気性フィルムは、本考案容器１の使用開始時に剥がされる。
【００１８】
本考案容器１が使用に供されると、前記吸水性高分子４に吸収させた薬液は、徐々に蒸発し、前記蓋体３を通じて大気中に徐放される。前記吸水性高分子４は、薬液の徐放により経時的に委縮する。
【００１９】
そして、本考案容器１は、前記吸水性高分子４がある程度萎縮した時点で、前記容器本体２内に薬液を補充することによって再利用に供することができる。本考案容器１は、前記蓋体３として坪量３０ｇ／ｍ２以下の多孔質シートが用いられていることから、前記容器本体２内への薬液の補充につき、図２に示すように、前記蓋体３を通じて行うことができる。
【００２０】
＜実施例＞
［実施例１〜６、比較例］
前記蓋体３として、下記表１に示す坪量を有する多孔質シートを用い、前記蓋体３を通じて、前記容器本体２内に薬液（芳香成分を含む水溶液）を導入し、薬液の透過状態を目視にて確認した。なお、表中「◎」の表示は、「非常に速やかに薬液が透過する。」を意味し、「○」の表示は、「速やかに薬液が透過する。」を意味し、「△」の表示は、「薬液の透過に非常に時間がかかる。」を意味し、「×」の表示は、「薬液が透過しない。」を意味する。
【００２１】
【表１】
0003205343.tif 000003
【００２２】
表１の結果から明らかなように、前記蓋体３として坪量３０ｇ／ｍ２以下の多孔質シートを用いれば、前記蓋体３を通じての前記容器本体２内への薬液の補充が速やかに行えることが確認された。
【００２３】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００２４】
本考案容器は、芳香成分、消臭成分、防虫成分などが含まれた薬液を大気中に徐放させるための徐放容器としてとして好適に用いられる。
【符号の説明】
【００２５】
１  本考案容器（徐放容器）
２  容器本体
２１  開口部
２２  フランジ部
３  蓋体
４  吸水性高分子
【図１】
0003205343.tif 000004
【図２】
0003205343.tif 000005